(57)【要約】【課題】ユーザーが所望する品質の画像を形成する。【解決手段】画像形成装置１００は、装着部１３と、制御部８と、記憶部８２と、画像形成部４とを備える。装着部１３には、消耗品を収容する交換部品が装着される。画像形成部４は、消耗品を使用することによって記録媒体に画像を形成する。制御部８は、装着部１３に装着された交換部品が、第１交換部品であるか第１交換部品と相違する第２交換部品であるかを判定する。記憶部８２には、第２交換部品が装着部１３に装着された装着回数の総数を示す装着カウンター値と画質評価画像パターン数とを関連付ける対応表が記憶される。制御部８は、交換部品が第２交換部品であると判定した場合に、対応表を参照して装着カウンター値に関連付けられた画質評価画像パターン数の画質評価画像を画像形成部４に形成させる評価画像形成処理を実行する。【選択図】図１
2019139003.tif 000002
【特許請求の範囲】
【請求項１】
消耗品を収容する交換部品が装着される装着部と、
前記消耗品を使用することによって記録媒体に画像を形成する画像形成部と、
前記装着部に装着された前記交換部品が、第１交換部品であるか前記第１交換部品と相違する第２交換部品であるかを判定する制御部と、
前記第２交換部品が前記装着部に装着された装着回数の総数を示す装着カウンター値と画質評価画像パターン数とを関連付ける対応表を記憶する記憶部と、
を備え、
前記制御部は、前記交換部品が前記第２交換部品であると判定した場合に、前記対応表を参照して前記装着カウンター値に関連付けられた前記画質評価画像パターン数の画質評価画像を前記画像形成部に形成させる評価画像形成処理を実行する、画像形成装置。
【請求項２】
前記制御部は、前記装着部に前記第２交換部品が初めて装着された場合に、前記評価画像形成処理を実行する、請求項１に記載の画像形成装置。
【請求項３】
前記制御部は、前記第２交換部品が有する記憶領域から前記装着部に装着された装着履歴を示す情報を取得し、
前記制御部は、前記装着履歴が閾値以下であるか否かを判定し、前記装着履歴が前記閾値以下であると判定することにより、前記画像形成部が、前記装着部に前記第２交換部品が初めて装着されたか否かを判定する、請求項２に記載の画像形成装置。
【請求項４】
前記記憶部は、前記第２交換部品を使用して前記画像形成部が前記記録媒体に前記画像を形成した印刷枚数を示す情報を記憶し、
前記制御部は、前記印刷枚数が所定枚数と一致するか否かを判定し、前記印刷枚数が前記所定枚数と一致すると判定すると、前記評価画像形成処理を実行する、請求項１から請求項３のいずれか１項に記載の画像形成装置。
【請求項５】
前記記憶部は、前記第２交換部品が前記装着部に装着してから経過した日数を示す情報を記憶し、
前記制御部は、装着日数が所定日数と一致するか否かを判定し、前記装着日数が前記所定日数と一致すると判定すると、前記評価画像形成処理を実行する、請求項１から請求項３のいずれか１項に記載の画像形成装置。
【請求項６】
ユーザーによる入力操作を受け付ける操作部を更に備え、
前記画像形成部は、前記画質評価画像に加え、複数パターンの前記画質評価画像を示す識別情報を前記記録媒体に形成し、
前記記憶部は、複数パターンの前記画質評価画像と前記識別情報とを関連付けて記憶し、
前記制御部は、前記識別情報を示す情報の入力操作を前記操作部が受け付けると、
前記識別情報に関連付けられた前記画質評価画像に対応した画質が前記画像形成部によって形成されるように、前記画像形成部の制御値を調整する、請求項１から請求項５のいずれか１項に記載の画像形成装置。
【請求項７】
情報を表示する表示部を更に備え、
前記記憶部は、第１使用量を示す情報及び第２使用量を示す情報を記憶し、
前記第１使用量は、前記第１交換部品が収容する前記消耗品を使用して前記画像形成部が前記記録媒体に前記画像を形成した使用量を示し、
前記第２使用量は、前記第２交換部品が収容する前記消耗品を使用して前記画像形成部が前記記録媒体に前記画像を形成した使用量を示し、
前記制御部は、前記第１使用量と前記第２使用量との比を示す情報を前記表示部に表示させる、請求項１から請求項５のいずれか１項に記載の画像形成装置。
【請求項８】
前記制御部は、所定の条件において、前記装着カウンター値の値をリセットする、請求項１〜請求項６のいずれか１項に記載の画像形成装置。
【請求項９】
前記制御部は、所定の条件において、前記第２使用量をリセットする、請求項７に記載の画像形成装置。
【請求項１０】
前記画質評価画像のパターン番号毎に、前記第１使用量及び前記第２使用量を記憶する、請求項７に記載の画像形成装置。
【発明の詳細な説明】
【技術分野】
【０００１】
本発明は、画像形成装置に関する。
【背景技術】
【０００２】
特許文献１に記載の画像形成装置は、画像を形成する画像形成部と、画像形成部の交換部品が非純正品か否かを判定する非純正品判定部と、画像形成条件入力部から入力された画像形成条件にしたがって画像形成部を制御する制御部とを備える。特許文献１に記載の画像形成装置はトナーセーブモードを有する。トナーセーブモードは、トナー使用量を抑制して画像形成するモードであり、例えば、高い印刷品位を必要としない社内資料又は手持ち資料の印刷に用いられる。画像形成部の交換部品が非純正品と判定された場合、入力可能な画像形成条件のうち、トナーセーブモードを非表示にして、トナーセーブモードが選択されることを禁止する。
【先行技術文献】
【特許文献】
【０００３】
【特許文献１】特開２０１３−０８８４４１号公報
【発明の概要】
【発明が解決しようとする課題】
【０００４】
しかしながら、特許文献１に記載の画像形成装置では、交換部品に非純正品が用いられても、印刷品位を向上させることをしないで、トナーセーブモードそのものを禁止してしまう。
【０００５】
本発明は、上記課題に鑑みてなされたものであり、ユーザーが所望する品質の画像を形成可能な画像形成装置を提供することを目的としている。
【課題を解決するための手段】
【０００６】
本発明に係る画像形成装置は、装着部と、制御部と、記憶部と、画像形成部とを備える。前記装着部には、消耗品を収容する交換部品が装着される。前記画像形成部は、前記消耗品を使用することによって記録媒体に画像を形成する。前記制御部は、前記装着部に装着された前記交換部品が、第１交換部品であるか前記第１交換部品と相違する第２交換部品であるかを判定する。前記記憶部には、前記第２交換部品が前記装着部に装着された装着回数の総数を示す装着カウンター値と画質評価画像パターン数とを関連付ける対応表を記憶される。前記制御部は、前記交換部品が前記第２交換部品であると判定した場合に、前記対応表を参照して前記装着カウンター値に関連付けられた前記画質評価画像パターン数の前記画質評価画像を前記画像形成部に形成させる評価画像形成処理を実行する。
【発明の効果】
【０００７】
本発明の画像形成装置、及び画像形成方法によれば、ユーザーが所望する品質の画像を形成できる。
【図面の簡単な説明】
【０００８】
【図１】本発明の実施形態に係る画像形成装置の構成の一例を示す図である。
【図２】本実施形態に係る画像形成部の構成の一例を示す図である。
【図３】本実施形態に係る制御部の構成の一例を示す図である。
【図４】タッチパネルに表示する画面の一例を示す画面図である。（ａ）は、画質確認画面の一例を示す画面図である。（ｂ）は、画質調整画面の一例を示す画面図である。
【図５】画質評価画像の一例を示す図である。
【図６】制御部の印刷ジョブの一例を示すフローチャートである。
【図７】制御部の画質評価画像形成処理の一例を示すフローチャートである。
【図８】制御部の画質評価画像形成処理の一例を示すフローチャートである。
【発明を実施するための形態】
【０００９】
以下、本発明の実施形態について、図面（図１〜図８）を参照しながら説明する。なお、図中、同一又は相当部分については同一の参照符号を付して説明を繰り返さない。
【００１０】
まず、図１を参照して、本実施形態に係る画像形成装置１００の構成について説明する。図１は、本実施形態に係る画像形成装置１００の構成の一例を示す図である。画像形成装置１００は、カラー複合機である。
【００１１】
図１に示すように、画像形成装置１００は、画像形成ユニット１、画像読取ユニット２、原稿搬送ユニット３、操作パネル１４及び制御部８を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。操作パネル１４は、ユーザーからの操作を受け付ける。制御部８は、画像形成装置１００の動作を制御する。
【００１２】
画像形成ユニット１は、給送部１２、搬送部Ｌ、トナー供給部１３、画像形成部４、定着部１６及び排出部１７を備える。画像形成部４は、転写部５を含む。
【００１３】
給送部１２は、用紙Ｐを搬送部Ｌへ供給する。搬送部Ｌは、用紙Ｐを転写部５及び定着部１６を経由して排出部１７まで搬送する。用紙Ｐは、「記録媒体」の一例に相当する。
【００１４】
トナー供給部１３は、画像形成部４にトナーを供給する。トナー供給部１３には、トナーコンテナＴＣｃ、トナーコンテナＴＣｍ、トナーコンテナＴＣｙ及びトナーコンテナＴＣｋが装着される。トナーコンテナＴＣｃ〜トナーコンテナＴＣｋは、「交換部品」の一例に相当する。以下の説明において、トナーコンテナＴＣｃ〜トナーコンテナＴＣｋの各々を、トナーコンテナＴＣと総称する場合がある。トナー供給部１３は、「装着部」の一例に相当する。
【００１５】
トナーコンテナＴＣｃには、シアン色のトナーが収納される。トナーコンテナＴＣｃは、画像形成部４にシアン色のトナーを供給する。トナーコンテナＴＣｍには、マゼンタ色のトナーが収納される。トナーコンテナＴＣｍは、画像形成部４にマゼンタ色のトナーを供給する。トナーコンテナＴＣｙには、イエロー色のトナーが収納される。トナーコンテナＴＣｙは、画像形成部４にイエロー色のトナーを供給する。トナーコンテナＴＣｋには、黒色のトナーが収納される。トナーコンテナＴＣｋは、画像形成部４に黒色のトナーを供給する。シアン色のトナー、マゼンタ色のトナー、イエロー色のトナー、及び黒色のトナーは、「消耗品」の一例に相当する。
【００１６】
トナーコンテナＴＣｃは、ＩＣ（Ｉｎｔｅｇｒａｔｅｄ  Ｃｉｒｃｕｉｔ）タグ６１を備える。ＩＣタグ６１は、トナーコンテナＴＣｃの周面に配置される。ＩＣタグ６１は、トナーコンテナＴＣｃの識別情報ＪＤｃを記憶する。トナーコンテナＴＣｍは、ＩＣタグ６２を備える。ＩＣタグ６２は、トナーコンテナＴＣｍの周面に配置される。ＩＣタグ６２は、トナーコンテナＴＣｍの識別情報ＪＤｍを記憶する。
【００１７】
トナーコンテナＴＣｙは、ＩＣタグ６３を備える。ＩＣタグ６３は、トナーコンテナＴＣｙの周面に配置される。ＩＣタグ６３は、トナーコンテナＴＣｙの識別情報ＪＤｙを記憶する。トナーコンテナＴＣｋは、ＩＣタグ６４を備える。ＩＣタグ６４は、トナーコンテナＴＣｋの周面に配置される。ＩＣタグ６４は、トナーコンテナＴＣｋの識別情報ＪＤｋを記憶する。以下の説明において、ＩＣタグ６１〜ＩＣタグ６４を、ＩＣタグ６と総称する場合がある。また、識別情報ＪＤｃ、識別情報ＪＤｍ、識別情報ＪＤｙ及び識別情報ＪＤｋを識別情報ＪＤと総称する場合がある。
【００１８】
トナー供給部１３には、トナーコンテナＴＣｃ〜トナーコンテナＴＣｋが着脱自在である。トナー供給部１３は、残量センサーＳ１、リーダー７１、残量センサーＳ２、リーダー７２、残量センサーＳ３、リーダー７３、残量センサーＳ４及びリーダー７４を備える。
【００１９】
残量センサーＳ１は、トナーコンテナＴＣｃに収納されているシアン色のトナーの残量ＲＴｃを検出する。リーダー７１は、ＩＣタグ６１からトナーコンテナＴＣｃの識別情報ＪＤｃを読み取る。残量センサーＳ２は、トナーコンテナＴＣｍに収納されているマゼンタ色のトナーの残量ＲＴｍを検出する。リーダー７２は、ＩＣタグ６２からトナーコンテナＴＣｍの識別情報ＪＤｍを読み取る。
【００２０】
残量センサーＳ３は、トナーコンテナＴＣｙに収納されているイエロー色のトナーの残量ＲＴｙを検出する。リーダー７３は、ＩＣタグ６３からトナーコンテナＴＣｙの識別情報ＪＤｙを読み取る。残量センサーＳ４は、トナーコンテナＴＣｋに収納されている黒色のトナーの残量ＲＴｋを検出する。リーダー７４は、ＩＣタグ６４からトナーコンテナＴＣｋの識別情報ＪＤｋを読み取る。以下の説明において、残量センサーＳ１〜残量センサーＳ４を、残量センサーＳと総称する場合がある。また、リーダー７１〜リーダー７４を、リーダー７と総称する場合がある。残量ＲＴｃ、残量ＲＴｍ、残量ＲＴｙ及び残量ＲＴｋを残量ＲＴと総称する場合がある。
【００２１】
画像形成部４は、用紙Ｐに画像を形成する。転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。画像形成部４及び転写部５については、図２を参照して詳細に説明する。
【００２２】
定着部１６は、用紙Ｐを加熱及び加圧し、用紙Ｐに形成された画像を用紙Ｐに定着する。排出部１７は、用紙Ｐを画像形成装置１００の外部に排出する。
【００２３】
操作パネル１４は、タッチパネル１４１及びスタートボタン１４２を備える。操作パネル１４は、「操作部」の一例である。タッチパネル１４１は、例えば、ＬＣＤ（Ｌｉｑｕｉｄ  Ｃｒｙｓｔａｌ  Ｄｉｓｐｌａｙ）を備え、種々の画像を表示する。また、タッチパネル１４１は、タッチセンサーを備え、ユーザーからの入力操作を受け付ける。スタートボタン１４２は、ジョブを開始する場合に押下される。具体的には、ユーザーは、例えばプリントジョブを開始する場合にスタートボタン１４２を押下する。プリントジョブは用紙Ｐに画像を形成するジョブを示す。
【００２４】
制御部８は、プロセッサー８１及び記憶部８２を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。
【００２５】
次に、図１及び図２を参照して、本実施形態に係る画像形成部４の構成について説明する。図２は、画像形成部４の構成の一例を示す図である。図２に示すように、画像形成部４は、画像形成部４ｃ、画像形成部４ｍ、画像形成部４ｙ及び画像形成部４ｋを備える。
【００２６】
画像形成部４ｃ、画像形成部４ｍ、画像形成部４ｙ及び画像形成部４ｋは、それぞれ、露光部４１、感光体ドラム４２、現像部４３、帯電ローラー４４及びクリーニングブレード４５を備える。画像形成部４ｃ、画像形成部４ｍ、画像形成部４ｙ及び画像形成部４ｋの構成は、供給されるトナーの色が異なるのみで、その他の構成は略同一である。したがって、以下の説明では、シアン色のトナーが供給される画像形成部４ｃの構成について説明し、画像形成部４ｃ以外の画像形成部４ｍ、画像形成部４ｙ及び画像形成部４ｋの構成についての説明は省略する。
【００２７】
画像形成部４ｃは、露光部４１ｃ（４１）、感光体ドラム４２ｃ（４２）、現像部４３ｃ（４３）、帯電ローラー４４ｃ（４４）及びクリーニングブレード４５ｃ（４５）を有する。
【００２８】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃを有する。現像ローラー４３１ｃは、感光体ドラム４２ｃにシアン色のトナーを供給し、静電潜像を現像してトナー像を形成する。このようにして、感光体ドラム４２ｃの周面にシアン色のトナー像が形成される。
【００２９】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアン色のトナーが除去される。
【００３０】
転写部５は、用紙Ｐにトナー像を転写する。転写部５は、一次転写ローラー５１、二次転写ローラー５２、駆動ローラー５３、中間転写ベルト５４、従動ローラー５５、及びブレード５６を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００３１】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、矢印Ｄ１及び矢印Ｄ２に示すように、反時計回りに回転駆動される。従動ローラー５５は、中間転写ベルト５４の回転に伴って回転駆動される。ブレード５６は、中間転写ベルト５４の表面に残留しているトナーを除去する。
【００３２】
二次転写ローラー５２は、駆動ローラー５３に押圧され、二次転写ローラー５２と駆動ローラー５３との間にニップ部Ｎが形成される。二次転写ローラー５２は、用紙Ｐがニップ部Ｎを通過する際に、中間転写ベルト５４上のトナー像を用紙Ｐに転写する。
【００３３】
次に、図１〜図３を参照して、本実施形態に係る制御部８の構成について説明する。図３は、制御部８の構成の一例を示す図である。
【００３４】
図３に示すように、制御部８は、取得部８０１、判定部８０２、形成部８０３、受付部８０４、調整部８０５、設定部８０６及び記憶部８２を備える。具体的には、制御部８のプロセッサー８１は、制御プログラムを実行することによって、取得部８０１、判定部８０２、形成部８０３、受付部８０４、調整部８０５及び設定部８０６として機能する。
【００３５】
判定部８０２は、トナーコンテナＴＣの識別情報ＪＤに基づいて、トナー供給部１３に装着されたトナーコンテナＴＣが、第１コンテナＴＣ１であるか第１コンテナＴＣ１と相違する第２コンテナＴＣ２であるかを判定する。第１コンテナＴＣ１は、例えば、専用品を示す。第２コンテナＴＣ２は、例えば、非専用品を示す。第１コンテナＴＣ１は、「第１交換部品」の一例に相当し、第２コンテナＴＣ２は、「第２交換部品」の一例に相当する。
【００３６】
記憶部８２は、条件記憶部８２１を備える。記憶部８２は、装着カウンター値８２２、対応表８２３、トナー使用量８２４、画質確認画面表示条件８２５を記憶している。
【００３７】
条件記憶部８２１は、複数の画像形成条件ＭＣを記憶する。画像形成条件ＭＣは、「制御値」の一例である。画像形成条件ＭＣは、識別情報ＪＤと画質調整画像のパターン番号（図５参照）とを対応付けている。画像形成条件ＭＣは、用紙Ｐに形成する画像の画質Ｑを調整する条件を示す。画像形成条件ＭＣは、例えば、現像バイアス電圧、一次転写電圧、二次転写電圧、及び定着温度を含む。現像バイアス電圧は、現像ローラー４３１と感光体ドラム４２との間に印加する電圧を示す。一次転写電圧は、一次転写ローラー５１と感光体ドラム４２との間に印加する電圧を示す。二次転写電圧は、二次転写ローラー５２と駆動ローラー５３との間に印加する電圧を示す。定着温度は、定着部１６の温度を示す。
【００３８】
装着カウンター値８２２は、第２コンテナＴＣ２が装着された回数の総数を示す。対応表８２３は、装着カウンター値８２２と画質評価画像パターンとの対応関係を示す。例えば、装着カウンター値８２２の値に基づいて形成（印刷）される画質評価画像のパターン数ｐｎ（装着カウント値）を示す。画質評価画像のパターン数ｐｎは、「複数パターン」の一例である。例えば、ｐｎ（１）＝３、ｐｎ（２）＝５、ｐｎ（３）＝７である。「ｐｎ（１）＝３」は、第２コンテナＴＣ２が装着された回数が１回目の時、印刷する画質調整画像のパターンの数が３枚であることを示す。「ｐｎ（２）＝５」は、第２コンテナＴＣ２が装着された回数が２回目の時、印刷する画質調整画像のパターンの数が５枚であることを示す。「ｐｎ（３）＝７」は、第２コンテナＴＣ２が装着された回数が３回目の時、印刷する画質調整画像のパターンの数が７枚であることを示す。すなわち、「ｐｎ（ｎ）＝ｍ」は、第２コンテナＴＣ２が装着された回数がｎ回目の時、印刷する画質調整画像のパターンの数（形成枚数）がｍ枚であることを示す。
【００３９】
装着カウンター値８２２は、所定の条件において、リセットされる。所定の条件は、例えばサービスマンが保守を行うことである。したがって、定期的に保守を行うことによって、装着カウンター値８２２及び画質評価画像のパターン数ｐｎが無制限に増加することを抑制する。
【００４０】
トナー使用量８２４は、第１トナー使用累積量８２４ａ、及び第２トナー使用累積量８２４ｂを示す。第１トナー使用累積量８２４ａは、第１コンテナＴＣ１が収容する消耗品を使用して画像形成部４が用紙Ｐに前記画像を形成した使用量の累積を示し、第２トナー使用累積量８２４ｂは、第２コンテナＴＣ２が収容する消耗品を使用して画像形成部４が用紙Ｐに画像を形成した使用量の累積を示す。適切なタイミングで、第１トナー使用累積量８２４ａと第２トナー使用累積量８２４ｂとの比を、タッチパネル１４１に表示してもよいし、用紙Ｐに印刷してもよい。ユーザーは、第１トナー使用累積量８２４ａと比較した第２トナー使用累積量８２４ｂの相対的な値を知ることができる。第１トナー使用累積量８２４ａは「第１使用量」の一例であり、第２トナー使用累積量８２４ｂは「第２使用量」の一例である。
【００４１】
第１トナー使用累積量８２４ａと第２トナー使用累積量８２４ｂとは、所定の条件において、リセットされる。所定の条件は、例えばサービスマンが保守を行うことである。直近の保守以降の第１トナー使用累積量８２４ａと第２トナー使用累積量８２４ｂとの比を、ユーザーは理解することができる。
【００４２】
画質確認画面表示条件８２５は、ユーザーからの指示に基づいて画像形成部４が画質評価画像Ｍを形成するタイミングを示す。例えば、タイミングは、第２コンテナＴＣ２が装着された後で最初に印刷を要求された時点、印刷枚数が所定枚数に達した時点、又は第２コンテナＴＣ２の装着日数が所定日数になった時点である。
【００４３】
取得部８０１は、リーダー７を介して、トナー供給部１３に装着されたトナーコンテナＴＣの識別情報ＪＤを取得する。
【００４４】
形成部８０３は、トナーコンテナＴＣが第２コンテナＴＣ２であると判定部８０２が判定した場合に、画像形成部４が画質評価画像Ｍを用紙Ｐに形成するように画像形成部４を制御する。画質評価画像Ｍは、画質Ｑを評価するための画像を示す。画質評価画像Ｍについては、後述にて、図５を参照して詳細に説明する。
【００４５】
受付部８０４は、用紙Ｐに画像を形成する旨の指示を受け付ける。具体的には、受付部８０４は、スタートボタン１４２が押下された場合に、用紙Ｐに画像を形成する旨の指示を受け付ける。
【００４６】
調整部８０５は、タッチパネル１４１を介してユーザーが選択した画質評価画像Ｍのパターン番号と識別情報ＪＤとを受け付けて、設定部８０６へ伝える。
【００４７】
設定部８０６は、条件記憶部８２１に記憶された複数の画像形成条件ＭＣのうち、取得部８０１が取得した識別情報ＪＤと、ユーザーが選択した画質評価画像のパターン番号とに対応する画像形成条件ＭＣを、条件記憶部８２１から読み出して、画像形成部４に対して設定する。
【００４８】
以上、図１〜図３を参照して説明したように、本実施形態では、トナーコンテナＴＣが第２コンテナＴＣ２である場合には、画像形成部４が１以上の画質評価画像Ｍを用紙Ｐに形成する。よって、ユーザーが選択した画質評価画像Ｍに基づいて画質Ｑを調整可能である。したがって、トナー供給部１３に装着されたトナーコンテナＴＣが第２コンテナＴＣ２（例えば、非専用品）である場合にも、用紙Ｐに形成される画像の画質Ｑの低下を抑制できる。すなわち、トナー供給部１３に装着されたトナーコンテナＴＣが第２コンテナＴＣ２（例えば、非専用品）である場合にも、ユーザーが所望する品質の画像を形成できる。
【００４９】
次に、図３〜図５を参照して、制御部８の処理について更に説明する。図４は、タッチパネル１４１に表示する画面の一例を示す画面図である。図４（ａ）は、画質確認画面９００の一例を示す画面図である。
【００５０】
図４（ａ）に示すように、画質確認画面９００には、メッセージ表示部９０１、ＹＥＳボタン９０２及びＮＯボタン９０３が表示されている。画質確認画面９００は、トナーコンテナＴＣが第２コンテナＴＣ２であると判定部８０２が判定した場合に、画質確認画面表示条件８２５を満たしたタイミングで、制御部８によってタッチパネル１４１に表示される。
【００５１】
メッセージ表示部９０１には、画質Ｑを調整するか否かをユーザーに入力する旨のメッセージが表示される。具体的には、「第２コンテナＴＣ２が装着されました。画質を調整しますか？  ＹＥＳを押せば画質評価画像Ｍがｎ枚印刷されます。」というメッセージが表示される。ｎは画質評価画像パターン数ｐｎを示す。画質評価画像パターン数ｐｎは、制御部８が装着カウンター値８２２を参照して、対応表８２３に基づいて算出される。
【００５２】
ＹＥＳボタン９０２は、画質評価画像Ｍを形成する場合に、ユーザーによってタッチされる。その結果、ｎ枚の画質評価画像Ｍが印刷された後に、図４（ｂ）に示される画質調整画面９１０が表示される。ＮＯボタン９０３は、画質評価画像Ｍを形成しない場合に、ユーザーによってタッチされる。
【００５３】
なお、本実施形態では、画質確認画面９００は、画像を形成する旨の指示を受付部８０４が受け付ける度に、画質確認画面表示条件８２５を満たしたタイミングで表示される。制御部８は、画質評価画像Ｍの形成の可否を画質確認画面９００によってユーザーに確認する。
【００５４】
制御部８が、画質確認画面９００を表示するタイミングについて説明する。例えば、第２コンテナＴＣ２が初めて交換されたタイミングで、最初にジョブを行ったユーザーにのみ画質確認画面９００を表示する。例えば、第２コンテナＴＣ２が交換された後で、画像形成部４の印刷枚数が所定枚数（例えば、１００枚）と一致するタイミングで、画質確認画面９００を表示する。例えば、第２コンテナＴＣ２が交換された後で、経過した日数が所定日数（例えば、１週間）と一致するタイミングで、画質確認画面９００を表示する。このように、本実施形態では、予め画像形成装置１００に設定されたタイミングで、ユーザーに画質確認画面９００が表示されるので、印刷ジョブの度に毎回画質を確認するという不便さを抑制することができる。
【００５５】
図４（ｂ）は、画質調整画面９１０の一例を示す画面図である。画質調整画面９１０は、制御部８によってタッチパネル１４１に表示される。
【００５６】
図４（ｂ）に示すように、画質調整画面９１０には、メッセージ表示部９１１、ＹＥＳボタン９１２、ＮＯボタン９１３、及び数字ボタン９１４が表示されている。
【００５７】
メッセージ表示部９１１には、用紙Ｐに印刷された１枚以上の画質調整画像パターンの選択を行うか否かをユーザーに入力する旨のメッセージが表示される。具体的には、メッセージ表示部９１１には、「お好みの画質評価画像の番号を押した後にＹＥＳキーを押して下さい。ＮＯキーを押すと画質調整は行いません。」というメッセージが表示される。
【００５８】
数字ボタン９１４及びＹＥＳボタン９１２は、画質Ｑの調整を行う場合に、ユーザーによってタッチされる。数字ボタン９１４は、画質評価画像Ｍの番号を指定するために押す数字を示す。ＹＥＳボタン９１２がタッチされた場合には、判定部８０２は、画質Ｑの調整を行うと判定する。ＮＯボタン９１３は、画質Ｑの調整を行わない場合に、ユーザーによってタッチされる。ＮＯボタン９１３がタッチされた場合には、判定部８０２は、画質Ｑの調整を行わないと判定する。
【００５９】
以上、図３〜図４（ｂ）を参照して説明したように、本実施形態では、判定部８０２は、トナーコンテナＴＣが第２コンテナＴＣ２であると判定した場合に、制御部８は画質評価画像Ｍを形成するタイミング条件を満たすか否かを確認し、画像形成部４はユーザーからの入力に基づき画質Ｑの調整を行うか否かを判定する。また、画質Ｑの調整を行うと判定した場合には、ユーザーからの入力に基づき画質調整画面９１０を介して画質Ｑを調整する。したがって、トナーコンテナＴＣが第２コンテナＴＣ２である場合にも、画質Ｑの低下を確実に抑制できる。
【００６０】
次に、図１及び図３〜図５を参照して、制御部８の処理について更に説明する。図５は、画質評価画像Ｍの一例を示す図である。本実施形態では、色味が異なるｎ枚の評価用紙Ｍ１〜Ｍｎが印刷される。評価用紙Ｍｎは、ｎ枚目の評価用紙を示す。例えば、装着カウンター値８２２＝２の場合、画質評価画像パターン数ｐｎ（２）＝５と設定すれば、第２コンテナＴＣ２（第２交換部品）の交換回数が２回目の時は、５枚分の評価用紙Ｍ１〜Ｍ５が印刷される。
【００６１】
図５では、評価用紙Ｍ１、評価用紙Ｍ２、評価用紙Ｍ３、評価用紙Ｍｎが示されている。本実施形態では、評価用紙はパッチ画像を含むが、本発明はこれに限定されない。写真画像又は文字画像を含む印刷物でもよい。
【００６２】
図５に示すように、評価用紙Ｍ１は、パッチＭＹ１〜パッチＭＹ９、パッチＭＭ１〜パッチＭＭ９、パッチＭＣ１〜パッチＭＣ９及びパッチＭＫ１〜パッチＭＫ９を含む。
【００６３】
パッチＭＹ１〜パッチＭＹ９は、イエロー色のトナーだけで形成された矩形状のパッチを示す。パッチＭＹ１〜パッチＭＹ９の各々の濃度ＤＹ１〜ＤＹ９は、下記の式（１）を満たす。
ＤＹ１＞ＤＹ２＞ＤＹ３＞ＤＹ４
＞ＤＹ５＞ＤＹ６＞ＤＹ７＞ＤＹ８＞ＤＹ９      （１）
なお、例えば、「ＤＹ１＞ＤＹ２」は、濃度ＤＹ１が濃度ＤＹ２よりも濃いことを示す。すなわち、パッチＭＹ１〜パッチＭＹ９は、イエロー色の９諧調の濃度ＤＮに対応する。
【００６４】
パッチＭＭ１〜パッチＭＭ９は、マゼンタ色のトナーだけで形成された矩形状のパッチを示す。パッチＭＭ１〜パッチＭＭ９の各々の濃度ＤＭ１〜ＤＭ９は、下記の式（２）を満たす。
ＤＭ１＞ＤＭ２＞ＤＭ３＞ＤＭ４
＞ＤＭ５＞ＤＭ６＞ＤＭ７＞ＤＭ８＞ＤＭ９      （２）
すなわち、パッチＭＭ１〜パッチＭＭ９は、マゼンタ色の９諧調の濃度ＤＮに対応する。
【００６５】
パッチＭＣ１〜パッチＭＣ９は、シアン色のトナーだけで形成された矩形状のパッチを示す。パッチＭＣ１〜パッチＭＣ９の各々の濃度ＤＣ１〜ＤＣ９は、下記の式（３）を満たす。
ＤＣ１＞ＤＣ２＞ＤＣ３＞ＤＣ４
＞ＤＣ５＞ＤＣ６＞ＤＣ７＞ＤＣ８＞ＤＣ９      （３）
すなわち、パッチＭＣ１〜パッチＭＣ９は、シアン色の９諧調の濃度ＤＮに対応する。
【００６６】
パッチＭＫ１〜パッチＭＫ９は、黒色のトナーだけで形成された矩形状のパッチを示す。パッチＭＫ１〜パッチＭＫ９の各々の濃度ＤＫ１〜ＤＫ９は、下記の式（４）を満たす。
ＤＫ１＞ＤＫ２＞ＤＫ３＞ＤＫ４
＞ＤＭ５＞ＤＫ６＞ＤＫ７＞ＤＫ８＞ＤＫ９      （４）
すなわち、パッチＭＫ１〜パッチＭＫ９は、黒色の９諧調の濃度ＤＮに対応する。
【００６７】
評価用紙Ｍ２、評価用紙Ｍ３、及び評価用紙Ｍｎは、評価用紙Ｍ１と同じパッチが色味を変えて印刷されている。評価用紙Ｍ１〜Ｍｎは、各々色味が異なる。
【００６８】
制御部８は、画像形成部４が、ユーザーが選択した画質評価画像Ｍを用紙Ｐに形成するように画像形成部４の画質Ｑを調整する。画質Ｑを調整する時には、条件記憶部８２１に記憶されている画像形成条件ＭＣを参照する。
【００６９】
画質Ｑは、ガンマ値、濃度、色再現性、及びかぶりの程度を含む。ガンマ値は、画像の階調の特性を示す数値である。濃度は、印字の濃さである。
【００７０】
色再現性は、タッチパネル１４１に表示された画像の色と、画像形成部４が用紙Ｐに形成する画像の色とが一致する程度を示す。かぶりは、本来白抜けとなるべき部分が黒くなる現象を示す。
【００７１】
以上、図１及び図３〜図５を参照して説明したように、本実施形態では、画質確認画面表示条件８２５を満たしたタイミングで、１枚以上の評価用紙Ｍｎが形成されるため、ユーザーが選択した画質評価画像Ｍに基づいて画質Ｑを調整できる。したがって、トナーコンテナＴＣが第２コンテナＴＣ２であると判定した場合にも、ユーザーが負担を感じない頻度で、画質Ｑの低下を抑制できる。
【００７２】
また、本実施形態では、画質Ｑは、ガンマ値、濃度、色再現性、及びかぶりの程度を含むが、本発明はこれに限定されない。例えば画質Ｑは、ガンマ値、濃度、色再現性、及びかぶりの程度の少なくとも１つを含む。
【００７３】
次に、図３〜図８を参照して、制御部８の処理について説明する。図６は、制御部の印刷ジョブの一例を示すフローチャートである。印刷ジョブは、印刷要求を画像形成装置１００が受け付けた時に実行される。印刷ジョブは用紙Ｐに画像を形成するジョブである。
【００７４】
ステップＳ１０１：受付部８０４は、印刷要求を受け付ける。具体的には、受付部８０４は、スタートボタン１４２が押下された場合に、用紙Ｐに画像を形成する旨の指示を受け付ける。
【００７５】
ステップＳ１０３：制御部８は、画質評価画像形成処理を実行する。画質評価画像形成処理において、判定部８０２が交換部品（トナーコンテナＴＣ）の種類を判定する。画質評価画像形成処理の詳細は、後述にて図７、図８を参照して説明する。
【００７６】
ステップＳ１０５：画像形成部４は、受け付けた印刷要求で指定された印刷枚数で印刷を実行する。本実施形態では、指定された印刷枚数で印刷を実行するが、本発明はこれに限定されない。例えば、最初の１枚のみを印刷して、現状の画質Ｑで印刷を続けるか否かを、タッチパネル１４１に表示して、ユーザーに確認させてもよい。画像形成部４は、印刷に使用したトナー使用量８２４を記憶部８２に記憶する。例えば、印刷の前と後の残量センサーＳの差分量をトナー使用量８２４として記憶部８２に記憶する。
【００７７】
ステップＳ１０７：画質評価画像形成処理おいて、判定された交換部品の種類が第１交換部品か否かを判定する。制御部８が、第１交換部品（第１コンテナＴＣ１）であると判定すると（ステップＳ１０７でＹｅｓ）、処理をステップＳ１０９へ移行する。第１交換部品（第１コンテナＴＣ１）でないと判定すると（ステップＳ１０７でＮｏ）、処理をステップＳ１１１へ移行する。
【００７８】
ステップＳ１０９：第１トナー使用累積量８２４ａに今回の印刷ジョブで使われたトナー使用量８２４を加えて、第１トナー使用累積量８２４ａの値を更新する。
【００７９】
ステップＳ１１１：第２トナー使用累積量８２４ｂに今回の印刷ジョブで使われたトナー使用量８２４を加えて、第２トナー使用累積量８２４ｂの値を更新する。
【００８０】
図７及び図８を参照して、画質評価画像形成処理の一例を説明する。画質評価画像形成処理は、制御部８が、交換部品（トナーコンテナＴＣ）が第２交換部品（第２コンテナＴＣ２）であると判定した場合に、対応表８２３を参照して装着カウンター値８２２に関連付けられた画質評価画像パターン数の評価用紙Ｍｎを画像形成部４に形成させる処理である。
【００８１】
ステップＳ２０１：交換部品（トナーコンテナＴＣ）の識別情報ＪＤを取得する。本実施形態では、取得部８０１が、リーダー７を介して、装着回数及び識別情報ＪＤを取得する。装着回数及び識別情報ＪＤは、トナー供給部１３に装着されたトナーコンテナＴＣに配置されたＩＣタグ６に記憶されている。ＩＣタグ６は、「記憶領域」の一例である。
【００８２】
ステップＳ２０３：判定部８０２は、識別情報ＪＤに基づいて、交換部品（トナーコンテナＴＣ）が第２交換部品（第２コンテナＴＣ２）であるか否かを判定する。第２交換部品（第２コンテナＴＣ２）であると判定すると（ステップＳ２０３においてＹｅｓ）、処理をステップＳ２０５へ移行する。第２交換部品（第２コンテナＴＣ２）でないと判定すると（ステップＳ２０３においてＮｏ）、ステップＳ１０５へリターンする。
【００８３】
ステップＳ２０５：制御部８は、交換部品（トナーコンテナＴＣ）の装着履歴を取得する。本実施形態では、トナーコンテナＴＣが最初に装着された時の装着回数は、１である。１は、「閾値」の一例である。前回、装着カウンター値８２２（メンテナンス時にリセット）を更新した際の装着回数と識別情報ＪＤとを記憶部８２に記憶する。装着回数＝１且つ今回の識別情報ＪＤが前回の識別情報ＪＤと異なる場合は、装着カウンター値８２２を１だけ増やす。
【００８４】
ステップＳ２０７：制御部８は、画質評価画像Ｍの印刷条件を確認する。印刷条件は、画質確認画面表示条件８２５に記憶されている画質評価画像Ｍを形成するタイミングを示す。
【００８５】
ステップＳ２０９：制御部８は、画質評価画像Ｍを形成するタイミングであるか否かを判定する。例えば、タイミングは、第２コンテナＴＣ２が装着された後で最初に印刷を要求された時点、印刷枚数が所定枚数に達した時点、又は第２コンテナＴＣ２の装着日数が所定日数になった時点である。タイミングであると判定すると（ステップＳ２０９においてＹｅｓ）、処理をステップＳ２１１へ移行する。タイミングでないと判定すると（ステップＳ２０９においてＮｏ）、処理をステップＳ１０５へリターンする。
【００８６】
ステップＳ２１１：制御部８は、画質確認画面９００をタッチパネル１４１に表示する。
【００８７】
図８を参照して、制御部８の画質評価画像形成処理の後半（ステップＳ２１３〜ステップＳ２２７）を説明する。
ステップＳ２１３：制御部８は、画質調整するか否かを判定する。ユーザーによってＹＥＳボタン９０２がタッチされた場合、画質調整すると判定部８０２が判定して（ステップＳ２１３においてＹＥＳ）、処理をステップＳ２１５へ移行する。ＮＯボタン９０３がタッチされた場合、画質調整しないと判定部８０２が判定して（ステップＳ２１３においてＮＯ）、処理をステップＳ１０５へリターンする。
【００８８】
ステップＳ２１５：制御部８は、装着カウンター値８２２を取得する。
【００８９】
ステップＳ２１７：制御部８は、装着カウンター値８２２に基づいて形成（印刷）される画質評価画像のパターン数ｐｎ（装着カウント値ｎ）を取得する。例えば、ｐｎ（１）＝３、ｐｎ（２）＝５、ｐｎ（３）＝７である。
【００９０】
ステップＳ２１９：画像形成部４は、画質評価画像Ｍを用紙Ｐに形成する。本実施形態では、画質評価画像Ｍをパターン数ｐｎだけ用紙Ｐに形成するが、本発明はこれに限定されない。例えば、用紙Ｐに出力しないでタッチパネル１４１に出力し、パッチや写真画像の濃度を調整してもよい。
【００９１】
ステップＳ２２１：制御部８は、形成枚数が画質評価画像のパターン数ｐｎ（装着カウント値）になったか否かを判定する。形成枚数が画質評価画像のパターン数ｐｎ（装着カウント値）になったと判定された場合（ステップＳ２２１においてＹｅｓ）、処理をステップＳ２２３へ移行する。形成枚数が画質評価画像のパターン数ｐｎ（装着カウント値）になっていないと判定された場合（ステップＳ２２１においてＮｏ）、処理をステップＳ２１９へ移行する。形成枚数が画質評価画像のパターン数ｐｎ（装着カウント値）になるまで、ステップＳ２１９及びステップＳ２２１の処理を繰り返す。
【００９２】
ステップＳ２２３：制御部８は、図４（ｂ）に示された画質調整画面９１０をタッチパネル１４１に表示する。
【００９３】
ステップＳ２２５：制御部８は、ユーザーが選択番号を入力したか否かを判定する。本実施形態では、ユーザーが数字ボタン９１４をタッチした後にＹＥＳボタン９１２をタッチした場合、選択番号を入力したと判定して（ステップＳ２２５においてＹｅｓ）、処理をステップＳ２２７へ移行する。ＮＯボタン９１３をタッチした場合（ステップＳ２２５においてＮｏ）、処理をステップＳ１０５へリターンする。
【００９４】
ステップＳ２２７：制御部８は、画像形成部４の画質Ｑを調整する。本実施形態では、ユーザーによりタッチされた数字ボタン９１４に対応する画質調整画像のパターン番号及び交換部品の識別情報ＪＤを用いて、条件記憶部８２１に記憶されている画像形成条件ＭＣを読み出す。そして画像形成部４の画像形成条件ＭＣの値として設定した後に、処理をステップＳ１０５へリターンする。
【００９５】
図４（ｂ）において、記憶部８２は、ユーザーによりタッチされた数字ボタン９１４に対応する画質調整画像のパターン番号毎に、第１トナー使用累積量８２４ａ及び第２トナー使用累積量８２４ｂを記憶してもよい。トナーコンテナＴＣが第２コンテナＴＣ２であると判定部８０２が判定した場合に、画質確認画面表示条件８２５を満たしたタイミングで、画質調整画像のパターン番号毎に、第１トナー使用累積量８２４ａと第２トナー使用累積量８２４ｂとの比を、タッチパネル１４１に表示しても、用紙Ｐに印刷してもよい。
【００９６】
以上、図面を参照しながら本実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９７】
（１）図１及び図２を参照して説明したように、本実施形態では、「消耗品」がトナーであり、「交換部品」がトナーコンテナＴＣであるが、本発明はこれに限定されない。「消耗品」を消費することによって用紙Ｐに画像を形成すればよい。例えば、「消耗品」がインクであり、「交換部品」がインクカートリッジでもよい。この場合には、「画像形成装置」は、インクジェット記録装置である。
【００９８】
（２）図１及び図２を参照して説明したように、本実施形態では、画像形成装置１００がカラー複合機であるが、本発明はこれに限定されない。画像形成装置１００が用紙Ｐに画像を形成すればよい。例えば、画像形成装置１００がモノクロの複合機でもよいし、画像形成装置１００がカラープリンターでもよい。
【００９９】
（３）図１〜図３を参照して説明したように、本実施形態では、第１コンテナＴＣ１が、専用品を示し、第２コンテナＴＣ２が非専用品を示すが、本発明はこれに限定されない。第１コンテナＴＣ１のトナーの品質が第２コンテナＴＣ２のトナーの品質より高ければよい。例えば、第１コンテナＴＣ１のトナーの品質は「高品質」であり、第２コンテナＴＣ２のトナーの品質は「通常品質」である。また、第１コンテナＴＣ１のトナーの品質は「通常品質」であり、第２コンテナＴＣ２のトナーの品質は「低品質」である。
【０１００】
（４）図３〜図５を参照して説明したように、本実施形態では、評価用紙Ｍ１は、パッチＭＹ１〜パッチＭＹ９、パッチＭＭ１〜パッチＭＭ９、パッチＭＣ１〜パッチＭＣ９及びパッチＭＫ１〜パッチＭＫ９を含むが、本発明はこれに限定されない。画質評価画像Ｍが、画質Ｑを評価するための画像であればよい。例えば、評価用紙Ｍ１が、パッチＭＫ１〜パッチＭＫ９だけを含んでもよい。この場合には、モノクロ画像の画質Ｑを評価することができる。評価用紙Ｍ３が、パッチＭＭ１〜パッチＭＭ９だけを含んでもよい。この場合には、マゼンタ画像の画質Ｑを評価することができる。
【産業上の利用可能性】
【０１０１】
本発明は、画像形成装置の分野に利用可能である。
【符号の説明】
【０１０２】
１００    画像形成装置
１    画像形成ユニット
４、４ｃ、４ｍ、４ｙ、４ｋ    画像形成部
４２、４２ｃ、４２ｍ、４２ｙ、４２ｋ    感光体ドラム
４３、４３ｃ、４３ｍ、４３ｙ、４３ｋ    現像部
４３１、４３１ｃ、４３１ｍ、４３１ｙ、４３１ｋ    現像ローラー
５    転写部
５１、５１ｃ、５１ｍ、５１ｙ、５１ｋ    一次転写ローラー
５２    二次転写ローラー
５３    駆動ローラー
５４    中間転写ベルト
１３    トナー供給部（装着部）
ＴＣ、ＴＣｃ、ＴＣｍ、ＴＣｙ、ＴＣｋ    トナーコンテナ（交換部品）
６、６１、６２、６３、６４    ＩＣタグ
Ｓ、Ｓ１、Ｓ２、Ｓ３、Ｓ４    残量センサー
ＲＴ、ＲＴｃ、ＲＴｍ、ＲＴｙ、ＲＴｋ    残量
７、７１、７２、７３、７４    リーダー
１４    操作パネル
１４１    タッチパネル
８    制御部
８１    プロセッサー
８０１    取得部
８０２    判定部（第１判定部〜第４判定部）
８０３    形成部
８０４    受付部
８０５    調整部
８０６    設定部
８２      記憶部
２    画像読取ユニット
３    原稿搬送ユニット
【図１】
2019139003.tif 000003
【図２】
2019139003.tif 000004
【図３】
2019139003.tif 000005
【図４】
2019139003.tif 000006
【図５】
2019139003.tif 000007
【図６】
2019139003.tif 000008
【図７】
2019139003.tif 000009
【図８】
2019139003.tif 000010